(57)【要約】  【課題】かかる構造によれば、緩衝材を挟む左右にコンクリート構造物を構築する場合は、該防草板下部の空気は、一定の勾配を設けた防草板の傾斜に沿って上方に抜け出すため、防草板下部内部にも確実にコンクリートが充填される。  【解決手段】防草板の一部が緩衝材本体の壁面から外側に突出し、該防草板は下向きに傾斜され、この傾斜を垂直面に対する傾斜角を７０°以内とした状態で設け、かつ該防草板を緩衝材の軸方向に沿って水平面に対する傾斜角を３°以内とした状態で設けたことを特徴とするコンクリート構造物の目地防草構造である。【選択図】図２
2014098231.tif 000002
【特許請求の範囲】
【請求項１】
防草板の一部が緩衝材本体の壁面から外側に突出し、該防草板は下向きに傾斜され、この傾斜を垂直面に対する傾斜角を７０°以内とした状態で設け、かつ該防草板を緩衝材の軸方向に沿って水平面に対する傾斜角を３°以内とした状態で設けたことを特徴とするコンクリート構造物の目地防草構造である。
【発明の詳細な説明】
【技術分野】
【０００１】
本発明は、防草を意図した土壌面に設置されるコンクリート構造物の目地防草構造である。
【背景技術】
【０００２】
従来、コンクリート構造物等であって、該構造物が帯状若しくは面状に連続的に敷設される場合、経年的に、気温の変化による膨張及びコンクリート自体の自己収縮、乾燥収縮等の繰り返しによって、構造物に割れが生じる。
【０００３】
そこで、構造物を割れによる影響が生じない所定の区画に分割し、構造物の継目には緩衝材を設ける。これにより、コンクリートが膨張及び収縮を繰り返しても、その変形に緩衝材が追随することが可能となり、コンクリートに割れが生じることを回避できる。
【０００４】
コンクリートが膨張及び収縮を繰り返すことにより、コンクリートの構造物の継目に設けた緩衝材と構造物との間に垂直に隙間が生じる場合がある。
該隙間に、草などの種子が飛来し、雨水などともに構造物下面の土壌面に到達し、草が隙間に沿って生育すると、除草作業による維持が必要となる。
【０００５】
このような草の繁殖を防止する方法として、次のような構造が知られている。
例えば、接合される一方の構造物に、その壁面において開口する多目的凹部（防草用、緊結用、必要により遮水用等の凹部、以下、防草用凹部とする）を設け、該防草用凹部の上側内面を、その防草用凹部の奥部側に向かって上方に傾斜する面に形成し、接合される他方の構造物の材料を前記防草用凹部内に充填するとともに表面が前記防草用凹部における開口部の上端近傍または上方に位置するように打設して他方の構造物を形成したことを特徴とする防草等を意図した構造物の構造である（例えば、特許文献１参照）。
【先行技術文献】
【特許文献】
【０００６】
【特許文献１】特開２００４−１６９５４４号公報
【発明の概要】
【発明が解決しようとする課題】
【０００７】
ところで、飛来した種子が、乾燥収縮などにより開いた垂直面部の隙間から下方に入って発芽し、光合成により成長し、芽は上方へ伸び、根は下方へ伸び、土壌面に根付く。上記に示した特許文献１は、構造物相互間の接合部において、飛来した種子の根の成長及び施工前に残存していた根の芽の成長を確実に防止すること、また何れの構造も、防草凹部の先端形態を、曲面周辺部を備えた迂回形態とし、防草凹部の形状が、根の芽の屈地性を阻害する機能があり、根の成長及び施工前に残存していた根の芽の成長を確実に防止できる防草等を意図した構造物の構造と構造物の防草等の工法を提供することなどを目的としている。
【０００８】
図１は、境界ブロック１Ｊ（構造物）の壁面から、該境界ブロックの軸方向（水平方向）において防草板４０、４１を外側に向かって下方へ突出するようにした実施例（特許文献１の図４０参照）であるが、該防草板４０、４１は、外側下方に向かって突出しているため、該境界ブロック設置後に、該境界ブロックを挟む左右にコンクリート構造物を構築する場合は、該防草板下部の空気は、コンクリート打設によるコンクリート打設面上昇に伴い、防草板とコンクリートによって閉塞されて、抜け出せず、そのままコンクリート内部に残存する。これにより、防草板下部に、コンクリートが充填されない空隙が生じる可能性がある。
【０００９】
そこで本発明は、コンクリート構造物の構造上の目地部において、境界ブロックではなく、コンクリートの膨張又は収縮による挙動を吸収できる緩衝材を使用する場合、前記実施例と同様に、緩衝材の軸方向において防草板を外側下方に向かって突出させた防草板の下方に、コンクリート打設時に空気が滞留しないように、該防草板に緩衝材の軸方向に沿って水平ではなく、一定の勾配を設けることを特徴とする防草構造を提供する。
【課題を解決するための手段】
【００１０】
前記課題を解決するために、本発明は、防草板の一部が緩衝材本体の壁面から外側に突出し、該防草板は下向きに傾斜され、この傾斜を垂直面に対する傾斜角を７０°以内とした状態で設け、かつ該防草板を緩衝材の軸方向に沿って水平面に対する傾斜角を３°以内とした状態で設けたことを特徴とするコンクリート構造物の目地防草構造である。
【発明の効果】
【００１１】
かかる構造によれば、緩衝材を挟む左右にコンクリート構造物を構築する場合は、該防草板下部の空気は、一定の勾配を設けた防草板の傾斜に沿って上方に抜け出すため、防草板下部にも確実にコンクリートが充填される。
【図面の簡単な説明】
【００１２】
【図１】特許文献１の図４０である。
【図２】本発明の実施の形態の防草を意図した土壌面に設置されるコンクリート構造物の継目構造を説明する断面図である。
【図３】本発明の実施の形態の防草を意図した土壌面に設置されるコンクリート構造物の継目構造を説明するＸ―Ｘ側面図である。
【発明を実施するための形態】
【００１３】
本発明の実施形態に係る防草を意図した土壌面に設置されるコンクリート構造物の継目構造は、コンクリート構造物の目地部に使用する緩衝材と一体的に成形された防草板に関するものである。
【００１４】
本実施形態では、幅ｂが１，０００ｍｍ、高さｈが３００ｍｍの緩衝材２の形状寸法の場合について説明する（図２および図３参照）。なお、緩衝材の幅ｂおよびｈは、限定されるものではなく、適宜設定すればよい。
【００１５】
接合される一方の構造物１に、該一方の構造物とは別体の防草板３を、該防草板３の一部が一方の構造物１の壁面から外側へ突出し、防草板３の他の部分が一方の構造物１内に埋設され、かつ、該防草板３が下方向において傾斜した状態で設け、接合される他方の構造物１の材料を、前記一方の構造物１の壁面まで、かつ、表面が前記外側へ突出した防草板３の上面近傍または上方に位置するように打設して他方の構造物を形成したことを特徴とする防草等を意図した構造物の構造である。さらに、該防草板３が水平の場合、コンクリート打設面と該防草板３によって閉塞された該防草板３下部に、抜け出せない空気が残存してしまうため、該防草板３を水平から３°以内に傾斜させる構造とし、該防草板３の端部は、空気を追い出すために開放させるため、連続する防草板３の間隔は、一定の間隔ｌを繰り返すものとする（図３参照）。
【００１６】
該緩衝材２および該防草板３の材質は、ゴム、プラスチック、金属、コンクリートその他、形状を保持できる所定の強度を有する弾性体であればよい。また、該防草板３の一定の間隔ｌも限定されるものではなく、適宜設定すればよい。
【００１７】
なお、該防草板３の水平からの傾斜角は、該防草板３がコンクリート構造物１の内外鉄筋の間に敷設されることを想定して、本設コンクリート構造物の最小厚さとされる３００ｍｍに対し、内外の鉄筋のかぶりｈ１を１００ｍｍとした場合に、両該かぶりを除く高さｈ２の１００ｍｍに防草板３の寸法５０ｍｍを考慮し、構造物の幅ｂを１，０００ｍｍとした場合における傾斜角を最大傾斜角３°（５０ｍｍ／１，０００ｍｍ）として設定した（図３参照）。
【符号の説明】
【００１８】
１    コンクリート構造物
２    緩衝材
３    防草板
【図１】
2014098231.tif 000003
【図２】
2014098231.tif 000004
【図３】
2014098231.tif 000005